(57)【特許請求の範囲】
【請求項１】
底部の外縁から高さ方向に延びる四角筒状の胴部と、該胴部の上端を閉塞する矩形状の天板とを備える段ボール製の包装箱であって、
該天板は、該天板の外縁部を構成する一対の辺に向かって夫々延びる第１破断可能線と、
該第１破断可能線の各端部の夫々から該天板の外縁部を構成する他の一対の辺まで夫々延びる第２破断可能線と、
該第１破断可能線を挟んで、該第１破断可能線から所定の間隔を存して設けられた指掛け可能な一対の指掛け孔とを有し、
該第１破断可能線は、両指掛け孔に挟まれる領域が該天板の破断を開始する破断開始部として形成され、
該天板は、各指掛け孔と該第１破断可能線に対向する側の各辺との間において延びる補助折目線を有し、
該補助折目線は、該第１破断可能線に従った破断により開梱するとき、該天板を該折目線に沿って折り曲げて、該天板のうち該破断開始部を挟んで隣接する部分を互いに離反させる方向に案内させるように形成されていることを特徴とする包装箱。
【発明の詳細な説明】
【技術分野】
【０００１】
本発明は、段ボール板紙により形成された包装箱に関する。
【背景技術】
【０００２】
従来、交互に連設された各一対の第１側板及び第２側板により形成された胴部を備え、胴部の両端を閉塞する閉塞部が、各第１側板の上下端縁に連設された外フラップを、各第２側板の上下端縁に連設された内フラップに重合接着することにより形成される包装箱が知られている（特許文献１参照）。
【０００３】
この包装箱は、一般にラップアラウンドケースと言われており、被包装物を各側板で包み込むようにして組立てられ、その際に外フラップが内フラップに接着されて組立完了と同時に被包装物が収納状態となる。このため、一般にコピー用紙や飲料缶等のように、一定形状の被包装物を多数個密着させて一体的に包装するのに適しており、輸送等に振動等が付与されても、各被包装物の一体的な包装状態が強固に維持される。
【０００４】
また、この包装箱は、外フラップと内フラップとが比較的強固に接着されているため、外フラップと内フラップとの剥離作業を行わずに開梱できるように、胴部を破断することができるように形成されることがある。
【０００５】
具体的には、この種の破断可能な包装箱として、胴部のうち上側の側板を縦に略半分割する縦破断可能線と、該縦破断可能線の上端及び下端から該側板の右縁及び左縁まで延びる横破断可能線と、該縦破断可能線と該横破断可能線との交点位置で該側板を内方に折曲可能とする折曲部とが形成されている包装箱が知られている（特許文献２参照）。
【０００６】
この包装箱を開梱するときは、折曲部を内側に折り曲げ、これにより該側板に形成された孔に指を挿入し、該側板を摘んで引っ張り、縦破断可能線及び横破断可能線に沿って同時に破断することにより、胴部の上面が開口するようにして包装箱が開梱される。
【先行技術文献】
【特許文献】
【０００７】
【特許文献１】特開２００６−２７３３５９号公報
【特許文献２】実用新案登録第３０７３９３２号公報
【発明の概要】
【発明が解決しようとする課題】
【０００８】
しかし、この種の包装箱においては、指で該側板の隅部を指で摘んで縦破断可能線及び横破断可能線に沿って縦横同時に破断しなければならないため、少ない力で開梱するのが難しいという不都合がある。
【０００９】
また、この種の包装箱においては、上記のとおり、コピー用紙や飲料缶等が多数個密着した状態で包装されているため重量が大きく、特に、被包装物が側板に密着している場合には、該側板に把持部を設けたとしても該把持部に手指を押し込むことができず、運搬が容易ではないという不都合がある。
【００１０】
上記の点に鑑み、本発明は、第１に開梱性を向上させることができる包装箱を提供することを目的とし、第２に運搬性を向上させることができる包装箱を提供することを目的とする。
【課題を解決するための手段】
【００１１】
かかる目的を達成するために、本発明の包装箱は、底部の外縁から高さ方向に延びる四角筒状の胴部と、該胴部の上端を閉塞する矩形状の天板とを備える段ボール製の包装箱であって、該天板は、該天板の外縁部を構成する一対の辺に向かって夫々延びる第１破断可能線と、該第１破断可能線の各端部の夫々から該天板の外縁部を構成する他の一対の辺まで夫々延びる第２破断可能線と、該第１破断可能線を挟んで、該第１破断可能線から所定の間隔を存して設けられた指掛け可能な一対の指掛け孔とを有することを特徴とする。
【００１２】
本発明の包装箱は、天板に一対の指掛け部を備えることにより、開梱するときに指掛け部に指を掛けて引っ張ることができる。このとき本発明においては、指掛け部が、該第１破断可能線を挟んで、該第１破断可能線から所定の間隔を存して設けられているので、該第１破断可能線のうち両指掛け孔に挟まれる領域が撓んで破断される。さらに指掛け部を引っ張ると、該第１破断可能線に沿って破断が進行し、該第１破断可能線の各端部から第２破断可能線が延びているので、該第１破断可能線の破断が完了すると、破断はそのまま第２破断可能線に沿って進行する。
【００１３】
これにより、指掛け部に指を掛けて引っ張ることで開梱でき、かつ、第１破断可能線及び第２破断可能線を順次破断させることによって少ない力で開梱できるので、開梱性を向上させることができる。
【００１４】
また、天板は所謂観音開きになり、一対の前記指掛け部は開梱後に持ち運び用の把持部となるため、包装箱の運搬性を向上させることができる。
【００１５】
また、本発明の包装箱において、該第１破断可能線は、両指掛け孔に挟まれる領域が該天板の破断を開始する破断開始部として形成され、該天板は、各指掛け孔と該第１破断可能線に対向する側の各辺との間において延びる補助折目線を有し、該補助折目線は、該第１破断可能線に従った破断により開梱するとき、該天板を該折目線に沿って折り曲げて、該天板のうち該破断開始部を挟んで隣接する部分を互いに離反させる方向に案内させるように形成されていることが好ましい。
【００１６】
これによれば、開梱するために、天板の一対の指掛け部に指を掛けて引っ張ったときに、予め折れ曲がるところが設けられているため、天板の他の部分が先んじて撓むことがなく、補助折目線に沿って折り曲げることができる。このとき、補助折目線は、各指掛け孔と該第１破断可能線に対向する側の各辺との間に延びているため、指掛け部を引っ張った力は、両指掛け部に挟まれる破断開始部の近傍及び各指掛け部を挟む一対の補助折目線の内側領域に集中される。
【００１７】
この結果、指掛け部を引っ張った力は、確実に該破断開始部を挟んで隣接する部分を互いに離反させる方向に案内され、破断開始部を破断する力に変換される。よって、かかる構成を備える包装箱によれば、より少ない力で破断することができるので、開梱性を向上させることができる。
【図面の簡単な説明】
【００１８】
【図１】本発明の包装箱の一実施形態を示す斜視図。
【図２】図１の包装箱の展開図。
【図３】図１の包装箱の開梱工程を示す斜視図。
【図４】図１の包装箱の開梱状態を示す斜視図。
【図５】図１の包装箱の天板の変形を概念的に示す概念図
【発明を実施するための形態】
【００１９】
本発明の一実施形態を図面に基づいて説明する。本実施形態の包装箱１は、図１に示すように、外観が直方体状に形成され、内部に図示しない複数の被包装物（例えば、ＰＥＴボトル入り飲料等）が収納されている。
【００２０】
包装箱１は、所謂ラップアラウンドケースであり、図２に示すように、大略矩形状に打抜いて形成された段ボール板紙２により組み立てられる。
【００２１】
段ボール板紙２は、底板３と、底板３の左側縁に折目線４を介して連設された左側板５と、底板３の右側縁に折目線６を介して連設された右側板７と、右側板７の底板３に対向する側に折目線８を介して連設された天板９とを備えている。
【００２２】
底板３の前後側縁には、折目線１０，１１を介して第１側片１２，１３が連設されており、左右側板５，７の夫々の前後側縁には、折目線１４，１５，１６，１７を介して耳片１８，１９，２０，２１が連設されている。また、第１側片１２，１３の夫々の先端部には、突片２２，２３が形成されている。
【００２３】
天板９の前後側縁には、折目線２４，２５を介して第２側片２６，２７が連設されておる。
【００２４】
左側側板５の左側縁には、包装箱１を組み立てたときに該天板９に接着する接着片２８が折目線２９を介して連設されている。
【００２５】
第２側片２６，２７には、天板９側にミシン線ｒと折目線ｓに囲まれた手指差込部３１，３２が形成されている。また、耳片１９の左側縁近傍及び耳片２０の右側縁近傍には、それぞれミシン線ｔと折目線ｕに囲まれた手指差込部３３，３４が形成されている。手指差込部３１，３２，３３，３４は、手指を差し込んでミシン線ｒ，ｔを破断することにより、折目線ｓ，ｕに沿って折り曲げ自在とされている。
【００２６】
天板９には、前後側縁の略中央部分を結ぶ第１破断可能線４０が形成されている。また、天板９には、各前後側縁に沿って左右側縁を結ぶ第２破断可能線４１，４２が形成されている。
【００２７】
なお、第１破断可能線４０は、この形状に限られず、天板９の前後側縁に沿って延びていれば、略中央部分以外の左右どちらかに寄っていてもよく、前後側縁に接していなくてもよく、直線状ではなく、例えばＳ字形状などの曲線状を描いていてもよい。同様に、第２破断可能線４１，４２も、第１破断可能線４０の前後端部の夫々から天板９の左右縁端まで延びていれば、曲線状であってもよい。
【００２８】
さらに、天板９には、第１破断可能線４０から所定の間隔を存して、ミシン線ｖと折目線ｗに囲まれた手指差込部４３，４４が形成されている。手指差込部４３，４４は、第１破断可能線４０の長さ方向中央近傍に該第１破断可能線４０を挟んで線対称に配置されている。
【００２９】
手指差込部４３，４４は、手指を差し込んでミシン線ｖを破断することにより、折目線ｗに沿って折り曲げ自在とされている。なお、手指差込部４３，４４は、本発明の指掛け孔に相当する。なお、指掛け孔は、この形状に限られず、当初より切り取られることで形成されていてもよい。
【００３０】
また、天板９には、手指差込部４３，４４の上端及び下端から天板の各左右側縁まで、互いに離反する方向に傾斜して延びる補助折目線５１，５２，５３，５４が夫々形成されている。また天板９には、手指差込部４３，４４の上端及び下端から天板の左右側縁まで、互いに平行に延びる補助折目線５５，５６，５７，５８が形成されている。
【００３１】
なお、補助折目線５１，５２，５３，５４と補助折目線５５，５６，５７，５８とは、いずれか一方だけを設けてもよい。また補助折目線は、手指差込部４３，４４と天板９の各左右側縁との間において延びていれば、各両端部が、手指差込部４３，４４及び天板９の各左右側縁と接していなくてもよい。
【００３２】
また、本実施形態では、補助折目線５１〜５８は、天板９に裏面に、後述するように谷折り線として形成されているが、天板９の表面に山折り線として形成してもよい。
【００３３】
以上の構成による図２示の段ボール板紙２から図１示の包装箱１を形成するときには、図２示の段ボール板紙２の状態で、底板３上に図示しない複数の被包装物が整列して載置され、先ず、左右側板５，７が夫々折目線４，６を介して起立される。
【００３４】
次いで、左右側板５，７の両側の各耳片１８，１９，２０，２１が夫々折目線１４，１５，１６，１７を介して底板３の両側縁に沿って折り曲げられる。そして、底板３の両側に連設された第１側片１２，１３が折目線１０，１１を介して起立されると共に、各耳片１８，１９，２０，２１の外面に接着剤を介して接着される。このとき、第１側片１２，１３の突片２２，２３には接着剤を塗布せず、折り畳むときに摘み可能な状態としておく。
【００３５】
続いて、天板９が折目線８を介して水平に折り曲げられる。次いで、接着片２８が天板９の内面に接着剤を介して接着される。そして、天板９の両側に連設された第２側片２６，２７が折目線２４，２５を介して下方に折り曲げられると共に、各耳片１８，１９，２０，２１の外面に接着剤を介して接着される。
【００３６】
これにより、底板３、左右側板５，７及び天板９による四角筒状の胴部６０（図１参照）の内部に被包装物が収容され、胴部６０の前後が耳片１８，１９，２０，２１と第１側片１２，１３と第２側片２６，２７とで閉塞部６１，６２が形成され、包装箱１が形成される。なお、この前後方向の閉塞部６１，６２と左右側板５，７とで形成される高さ方向に延びる四角筒状体が、本発明の胴部に相当する。
【００３７】
なお、該閉塞部６１，６２を形成する部分に形成されている手指差込部３１，３２，３３，３４をミシン線ｒ，ｔに沿って破断すると共に、折目線ｓ，ｕに沿って折り曲げ、内側に押しこむことにより、把持部（図示せず）を形成することができる。
【００３８】
次に、本実施形態の包装箱１の開梱作業を説明する。
【００３９】
先ず、図３に示すように、天板９に形成された手指差込部４３，４４をミシン線ｖに沿って破断すると共に、折目線ｗに沿って折り曲げ、内側に押しこむことにより、指掛け部６３，６４を形成する。
【００４０】
該指掛け部６３，６４に手指等を挿入し、天板の裏面から、第１破断可能線４０を挟んで隣接する第１破断可能線４０と各指掛け部６３，６４との間の領域（以下、隣接部９ａという。）に指を掛けて、上方向かつ各隣接部９ａを互いに離間する方向に引っ張り上げることで、第１破断可能線４０のうち各隣接部９ａに挟まれる領域（以下、破断開始部４０ａという。）から破断が開始する。
【００４１】
次いで、天板の裏面から隣接部９ａをさらに引っ張り上げることで、破断開始部４０ａから、天板９の前後側縁に向かって第１破断可能線４０に沿って破断が進行し、該第１破断可能線４０の破断が完了すると、該第１破断可能線４０の上下端部から各左右方向に第２破断可能線４１，４２が延びているので、次いで該第２破断可能線４１，４２に沿って破断が進行する。
【００４２】
このように、包装箱１は、指掛け部６３，６４に指を掛けて上方に引っ張るだけで開梱でき、かつ、第１破断可能線及び第２破断可能線を順次破断させるので少ない力で開梱できる。
【００４３】
図４に示すように、上記開梱作業によって、天板９が左右に分断され、天板９が上方に開放されるので、包装箱１の被包装物の取出しが行える状態に開梱される。
【００４４】
そして、天板９が解放された後においては、例えば、店舗における被包装物の販売のために包装箱１を移動する場合、各指掛け部６３，６４は、そのまま運搬用の把持部として利用することができる。
【００４５】
図５は、破断開始部４０ａから破断が開始されるときの天板９の部分拡大図である。この図５を用いて、以下、補助折目線５１〜５８の機能について説明する。
【００４６】
まず、指掛け部６３，６４に手指等を挿入し、隣接部９ａの裏面に指を掛けて上方向に引き上げると、天板９は、裏面に補助折目線５１〜５８が設けられているため、当該補助折目線５１〜５８に沿って、それぞれ谷折りに変形される。
【００４７】
このとき、補助折目線５１〜５８は、各指掛け部６３，６４の上端及び下端から天板９の各左右側縁まで延びているので、天板９は、隣接部９ａ及び補助折目線５１〜５４で囲まれる内側領域が積極的に変形し、他の領域は相対的に変形しない。
【００４８】
すなわち、隣接部９ａを引っ張ったとき、その引っ張る力は、包装箱１全体が変形することで吸収されることなく、隣接部９ａ及び補助折目線５１〜５４で囲まれる内側領域に集中される。
【００４９】
特に、隣接部９ａ及び補助折目線５１〜５４で囲まれる内側領域のうち、左右側縁は各側板５，７に固定されているため、上記引っ張ったことによる負荷は、該領域の中央近傍に位置する破断開始部４０ａに集中しやすくなる。
【００５０】
この結果、本実施形態における包装箱１によれば、より少ない力で破断開始部４０は破断することができる。
【符号の説明】
【００５１】
１…包装箱、９…天板、９ａ…隣接部、４０…第１破断可能線、４０ａ…破断開始部、４１，４２…第２破断可能線、補助折目線…５１〜５８、６３，６４…指掛け孔。
【図１】
0006687369.tif 000002
【図２】
0006687369.tif 000003
【図３】
0006687369.tif 000004
【図４】
0006687369.tif 000005
【図５】
0006687369.tif 000006